(57)【要約】      （修正有）【課題】ポケットに収納した収納物の重みで前身頃部分が垂れ下がることを防止し、更に、下を向いた時の収納物の落下を防止できる内部ポケット付きワイシャツを提供する。【解決手段】胸ポケット２０の内側に位置する左前身頃１１−２において、収納物出し入れ用の内部開口部１８が横方向に溝状に形成されている。左前身頃１１−２の内側に、内部ポケット部材３０が着脱自在に装着されている。内部ポケット部材３０は、内部開口部１８の近傍に配置され、その内部開口部１８を介して出し入れされる収納物を収納する内部ポケット３１と、一端が肩ヨーク１３の内側に着脱自在に取り付けられ、他端に内部ポケット３１が吊着される帯状の支持部材３２と、一端が内部ポケット３１に連結され、他端が内部開口部１８を通して胸ポケット２０内に収容され、内部開口部１８及び内部ポケット３１間を橋渡しするブリッジ部材と、を有している。【選択図】図２
0003171934.tif 000002
【実用新案登録請求の範囲】
【請求項１】
胸ポケットが縫着された前身頃と、後身頃と、前記後身頃の上部の肩ヨークと、前記胸ポケットの内側に位置する前記前身頃において横方向に溝状に形成された収納物出し入れ用の内部開口部と、を有するワイシャツの前記前身頃の内側に内部ポケット部材が取り付けられた内部ポケット付きワイシャツであって、
前記内部ポケット部材は、
前記内部開口部の近傍に配置される上端開口部を有し、前記内部開口部及び前記上端開口部を介して出し入れされる収納物を収納する内部ポケットと、
一端が前記肩ヨークの内側に着脱自在に取り付けられ、他端に前記内部ポケットが吊着される帯状の支持部材と、
一端が前記上端開口部に連結され、他端が前記内部開口部を通して前記胸ポケット内に収容され、前記内部開口部及び前記上端開口部間を橋渡して、前記収納物の出し入れを案内するブリッジ部材と、
を有することを特徴とする内部ポケット付きワイシャツ。
【請求項２】
前記胸ポケットは、
前記前身頃に縫着された周縁部と、
前記収納物を出し入れするために解放された上縁部と、
前記上縁部の内側に取り付けられ、前記内部ポケット内に収納された前記収納物の落下を挟持状態にて係止する開閉自在の係止部材と、
を有することを特徴とする請求項１記載の内部ポケット付きワイシャツ。
【請求項３】
前記支持部材には、前記上端開口部の開口幅を一定値に保持する保持部材が設けられていることを特徴とする請求項１又は２記載の内部ポケット付きワイシャツ。
【請求項４】
前記肩ヨークには、前記収納物に対応する重量の肩パッドが着脱自在に装着されることを特徴とする請求項１〜３のいずれか１項に記載の内部ポケット付きワイシャツ。
【請求項５】
前記ブリッジ部材は、略方形であることを特徴とする請求項１〜４のいずれか１項に記載の内部ポケット付きワイシャツ。
【請求項６】
前記係止部材は、
前記上縁部の内側に固定される略長方形の固定部と、
前記固定部に対して所定の角度をもって開いた状態で接続され、開閉可能な復元力を有する略長方形の係止部と、
を備えたことを特徴とする請求項２記載の内部ポケット付きワイシャツ。
【請求項７】
前記保持部材は、前記上端開口部の開口幅と略同一の長さを有する略長方形の硬質部材により形成されていることを特徴とする請求項３記載の内部ポケット付きワイシャツ。
【請求項８】
前記収納物は、携帯機器を含む重量物であることを特徴とする請求項１〜７のいずれか１項に記載の内部ポケット付きワイシャツ。
【考案の詳細な説明】
【技術分野】
【０００１】
本考案は、携帯電話及びＰＨＳと携帯情報端末（ＰＤＡ）機能が付いた携帯端末であるスマートフォン（smartphone）等の携帯機器を含む比較的重い収納物を収納するための内部ポケットが付いた内部ポケット付きワイシャツに関するものである。
【背景技術】
【０００２】
従来、例えば、下記の特許文献１〜３には、比較的重い収納物の１つである携帯電話機を収納するための携帯電話収納用ポケットが付いたワイシャツの技術が記載されている。このうち、特許文献１の技術では、ワイシャツの左前身頃に縫着された胸ポケットとは別に、携帯電話収納用ポケットが右前身頃に縫着されている。又、特許文献２、３の技術では、ワイシャツの胸ポケット内に、この胸ポケットよりも小さな携帯電話用ポケットが縫着されている。
【先行技術文献】
【特許文献】
【０００３】
【特許文献１】特開２０００−６４１０１号公報
【特許文献２】実用新案登録第３０９２２８１号公報
【特許文献３】特開２００７−１７７３３４号公報
【考案の概要】
【考案が解決しようとする課題】
【０００４】
しかしながら、従来の携帯電話収納用ポケット付きワイシャツでは、以下の（ａ）、（ｂ）のような課題があった。
【０００５】
（ａ）  携帯電話収納用ポケットは、前身頃に縫着されている。そのため、携帯電話機をその収納用ポケットに収納した場合、携帯電話機の重みで、収納用ポケットや、その周辺の前身頃部分が垂れ下がり、見栄えが悪いスタイルになる。特に、携帯電話機よりも大きくて重い携帯機器の１つであるスマートフォン（例、１４０ｇ）が普及しつつあるが、このようなスマートフォンを収納用ポケットに収納した場合には、その重みで、収納用ポケットや、その周辺の前身頃部分が大きく垂れ下がり、見栄えが更に悪いスタイルになる。これが原因で、お洒落な人にとっては、スマートフォンの収納場所に苦慮しているのが現状である。
【０００６】
（ｂ）  例えば、携帯電話機よりも大きくて重いスマートフォンを収納用ポケットに収納した状態で、着用者が下を向いた場合、従来の技術では、収納用ポケットからのスマートフォンの落下を、簡単な構造で、的確に防止することが困難であった。
【課題を解決するための手段】
【０００７】
本考案の内部ポケット付きワイシャツは、胸ポケットが縫着された前身頃と、後身頃と、前記後身頃の上部の肩ヨークと、前記胸ポケットの内側に位置する前記前身頃において横方向に溝状に形成された収納物出し入れ用の内部開口部と、を有するワイシャツの前記前身頃の内側に内部ポケット部材が取り付けられたものである。
【０００８】
前記内部ポケット部材は、前記内部開口部の近傍に配置される上端開口部を有し、前記内部開口部及び前記上端開口部を介して出し入れされる収納物を収納する内部ポケットと、一端が前記肩ヨークの内側に着脱自在に取り付けられ、他端に前記内部ポケットが吊着される帯状の支持部材と、一端が前記上端開口部に連結され、他端が前記内部開口部を通して前記胸ポケット内に収容され、前記内部開口部及び前記上端開口部間を橋渡して、前記収納物の出し入れを案内するブリッジ部材と、を有することを特徴とする。
【考案の効果】
【０００９】
本考案によれば、次の（１）〜（３）のような効果がある。
【００１０】
（１）  内部ポケット付きワイシャツの着用時において、内部ポケットに収納された収納物の重量が、支持部材を介して肩ヨーク部分で支持され、その重量が胸ポケットに掛からない。そのため、収納物の重さにより、胸ポケットや、その周辺の前身頃部分が垂れ下がることを防止できる。
【００１１】
（２）  内部ポケット付きワイシャツの着用時において、着用者が下を向いても、内部ポケットからずり落ちる収納物が、係止部材により係止されるので、収納物がその自重により内部ポケットから落下することを、簡単な構造で、的確に防止することができる。
【００１２】
（３）  胸ポケットと内部ポケットとの間隙に、ブリッジ部材を設けて橋渡しを行うようにしているので、その間隙に収納物が落下することがなく、内部ポケットに対して収納物をスムーズに収納及び取り出しを行うことができる。
【図面の簡単な説明】
【００１３】
【図１】図１は本考案の実施例１における図２の胸ポケット２０及び内部ポケット部材３０を示す概略の拡大正面図である。
【図２】図２は本考案の実施例１における内部ポケット付きワイシャツの概略を示す正面図である。
【図３】図３は図２の左肩部分を示す拡大斜視図である。
【図４】図４は図２の胸ポケット２０及び内部ポケット部材３０を示す概略の拡大縦断面図である。
【図５】図５は図１中の係止部材部分の概略を示す拡大斜視図である。
【考案を実施するための形態】
【００１４】
本考案を実施するための形態は、以下の好ましい実施例の説明を添付図面と照らし合わせて読むと、明らかになるであろう。但し、図面はもっぱら解説のためのものであって、本考案の範囲を限定するものではない。
【実施例１】
【００１５】
（実施例１の構成）
図２は、本考案の実施例１における内部ポケット付きワイシャツの概略を示す正面図である。更に、図３は、図２の左肩部分を示す拡大斜視図である。
【００１６】
この内部ポケット付きワイシャツでは、ワイシャツ１０の内側に、内部ポケット部材３０が取り付けられている。
【００１７】
ワイシャツ１０は、右前身頃１１−１及び左前身頃１１−２からなる前身頃１１と、後身頃１２と、この後身頃１２の上部に取り付けられた肩ヨーク１３と、前身頃１１及び後身頃１２の袖付け部に取り付けられた右袖１４−１及び左袖１４−２と、前身頃１１及び後身頃１２の袖付け部に取り付けられた襟１５とから形成されている。右前身頃１１−１及び左前身頃１１−２は、前立て１６に取り付けられたボタン１７を、前立て１６に形成されたボタン穴に挿入することにより、連結される。前身頃１１、後身頃１２、肩ヨーク１３、袖１４−１，１４−２、襟１５、及び前立て１６は、織物等の布地を用いて縫製されている。その布地としては、内部ポケット部材３０が透けて見えない生地を使用することが望ましい。又、袖１４−１，１４−２は、図示された短袖の他に、長袖であってもよい。
【００１８】
左前身頃１１−２において、着用者の左胸の位置には、織物等の布地で作られた胸ポケット２０が取り付けられている。胸ポケット２０は、略方形をしており、左前身頃１１−２に縫着された両側辺及び底辺からなる周縁部２１と、収納物を出し入れするために解放された上縁部２２とにより形成されている。胸ポケット２０の上部（例えば、上縁部２２から下の３ｃｍ程の部分）の内側に位置する左前身頃１１−２箇所には、収納物出し入れのために窓である溝状の内部開口部１８が横方向に形成されている。左前身頃１１−２の内側には、内部ポケット部材３０が着脱自在に取り付けられている。
【００１９】
内部ポケット部材３０は、内部開口部１８の内側に配置され、その内部開口部１８を介して出し入れされる収納物を収納する略方形の内部ポケット３１と、一端３２ａが肩ヨーク１３の内側に着脱自在に取り付けられ、他端３２ｂ側にその内部ポケット３１が吊着される帯状の支持部材３２等とにより構成されている。支持部材３２の一端３２ａは、例えば、面ファスナーにより、肩ヨーク１３の内側に着脱自在に貼着されている。
【００２０】
内部ポケット部材３０は、織物等の布地や、あるいは柔軟な生地といった種々の素材で形成することができる。この内部ポケット部材３０を形成するための生地は、例えば、身体から発する汗等の水分によって収納物が悪影響を受けることを防止できる防水素材、あるいは、電磁波を発生するスマートフォン等の収納物によって身体が悪影響を受けることを防止できる電磁波遮断素材等を使用することが好ましい。
【００２１】
肩ヨーク１３内には、収納物に対応する重量の肩パッド４０を着脱自在に装着することが望ましい。肩パッド４０は、例えば、略長方形の金属粉入りパテ、プラスチック等により形成され、肩ヨーク１３の内側に縫着された図示しないポケットに着脱自在に挿入される。内部ポケット３１に重い収納物（即ち、重量物）が収納された場合、支持部材３２が下に引っ張られて下方向にずれることがあるので、収納物の重量を打ち消して（即ち、収納物の重量を分散して）、支持部材３２の下方向のずれを防止するために、肩パッド４０を肩ヨーク１３内に装着することが望ましい。
【００２２】
図１は、本考案の実施例１における図２の胸ポケット２０及び内部ポケット部材３０を示す概略の拡大正面図である。図４は、図２の胸ポケット２０及び内部ポケット部材３０を示す概略の拡大縦断面図である。更に、図５は、図１中の係止部材部分の概略を示す拡大斜視図である。
【００２３】
胸ポケット２０は、左前身頃１１−２と、この左前身頃１１−２の外側に配置された略方形の胸ポケット生地２３とから作られている。胸ポケット生地２３の解放された上縁部２２に対して、その胸ポケット生地２３の両側辺及び底辺の周縁部２１は、左前身頃１１−２に縫着され、内部に収納スペース２４が形成されている。
【００２４】
上縁部２２の内側には、収納物５０に対する落下防止用の係止部材２５が取り付けられている。係止部材２５は、内部ポケット３１内、あるいは胸ポケット２０の収納スペース２４内に収納されたスマートフォン等の収納物５０が、下を向いた時に落下することを、挟持状態にて係止する開閉自在の部材である。係止部材２５は、上縁部２２の内側において横方向に固定される略長方形の固定部２５ａと、この固定部２５ａに対して所定の角度θをもって開いた状態で接続され、開閉可能な復元力を有する略長方形の係止部２５ｂとにより構成され、例えば、シリコーンゴム等の弾性部材や、あるいは、プラスチック等の形状記憶部材により形成されている。
【００２５】
係止部２５ｂは、図５の矢印で示すように、例えば、収納物５０によって下方向に押圧されると、下方向に閉じて角度θが小さくなり、その押圧が解除されると上方向に開いて所定の角度θに復元し、収納物５０によって上方向に押圧されると、所定の角度θを維持して収納物５０を係止する機能を有している。固定部２５ａは、上縁部２２の内側に対して、縫着されるか、あるいは、面ファスナー等によって着脱自在に固定されている。
【００２６】
肩ヨーク１３の内側には、内部ポケット部材３０における支持部材３２の一端３２ａを着脱自在に貼着するための面ファスナー等の貼着部１３ａが縫着されている。
【００２７】
内部ポケット部材３０は、収納物５０を収納する内部ポケット３１と、この内部ポケット３１を肩ヨーク１３側に吊着する帯状の支持部材３２と、内部開口部１８及び内部ポケット３１間を橋渡しするブリッジ部材３３とにより構成されている。
【００２８】
内部ポケット３１は、帯状の支持部材３２の他端３２ｂ側に延設された延設部分３１ｂと、この延設部分３１ｂの外側に配置された略方形の内部ポケット生地３１ｃとから作られている。内部ポケット生地３１ｃの解放された上端開口部３１ａに対して、その内部ポケット生地３１ｃの両側辺及び底辺の周縁部は、延設部分３１ｂに縫着され、内部に収納スペース３１ｄが形成されている。上端開口部３１ａには、ブリッジ部材３３が連結されている。
【００２９】
ブリッジ部材３３は、胸ポケット２０側の収納スペース２４の横幅よりも小さな横幅を有する略方形をなし、一端が上端開口部３１ａに連結され、他端が内部開口部１８を通して胸ポケット２０内に収容され、その内部開口部１８及び上端開口部３１ａ間を橋渡して、収納物５０の出し入れを案内するものである。このブリッジ部材３３は、例えば、内部ポケット生地３１ｃに延設された織物等の生地３３ａと、この生地３３ａに連結された皺になりにくい補強部材３３ｂとにより構成されている。補強部材３３ｂは、例えば、薄い合成樹脂板等により形成されている。なお、ブリッジ部材３３は、柔軟性のある１枚の合成樹脂フイルム等により形成してもよい。
【００３０】
支持部材３２は、上端開口部３１ａの開口幅と略同一の幅（即ち、内部ポケット３１の横幅と略同一の幅）を有している。支持部材３２の一端３２ａには、肩ヨーク１３側の貼着部１３ａに着脱自在に貼着するための面ファスナー等の貼着部３２ｃが縫着されている。更に、支持部材３２の他端３２ｂ側の近傍の横方向には、保持部材３４が取り付けられている。
【００３１】
保持部材３４は、内部ポケット３１における上端開口部３１ａの開口幅を一定値に保持し、その内部ポケット３１に収納された収納物５０の重量が内部ポケット幅及び支持部材幅の全体に均等に掛かるようにするため（即ち、収納物重量負荷の均一化を図るため）の部材であり、例えば、上端開口部３１ａの開口幅と略同一の長さを有する略長方形のプラスチック等の硬質部材により形成されている。この保持部材３４の取り付け方法には、縫着等による固着、支持部材３２に形成された図示しないポケットに着脱自在に挿着、あるいは、面ファスナー等により着脱自在に貼着する方法がある。
【００３２】
（ワイシャツへの内部ポケット部材の取り付け例）
ワイシャツ１０への内部ポケット部材３０の取り付け例を説明する。
【００３３】
予め、図５の係止部材２５における固定部２５ａを、胸ポケット２０の上縁部２２の内側に固定しておく。又、図３に示すように、必要に応じて、肩パッド４０を肩ヨーク１３の内側に装着しておく。
【００３４】
次に、図１の内部ポケット部材３０における支持部材３２の一端３２ａ側の貼着部３２ｃを、肩ヨーク１３の内側の貼着部１３ａに貼り付け、その支持部材３２を介して、内部ポケット３１を吊り下げる。内部ポケット３１の上端開口部３１ａに連結されたブリッジ部材３３を、左前身頃１１−２の内側から内部開口部１８を通して、胸ポケット２０の収納スペース２４へ挿入する。ブリッジ部材３３の先端側には、補強部材３３ｂが取り付けられているので、ブリッジ部材３３が収納スペース２４へスムーズに入って自重により垂れ下がる。これにより、ワイシャツ１０への内部ポケット部材３０の取り付けが完了する。
【００３５】
（内部ポケット付きワイシャツの使用例）
内部ポケット部材３０が取り付けられたワイシャツ１０を着用し、スマートフォン等の比較的重い収納物５０を内部ポケット３１に収納する場合、図４の矢印で示すように、収納物５０を上から斜め下方向へ向かって、胸ポケット２０内の内部開口部１８へ挿入する。すると、図５の矢印で示すように、収納物５０により、係止部材２５の係止部２５ｂが下方向に押されて閉じると共に、その収納物５０がブリッジ部材３３に案内され、内部ポケット３１の上端開口部３１ａを通して、その内部ポケット３１の収納スペース３１ｄへスムーズに収納される。
【００３６】
なお、胸ポケット２０と内部ポケット３１との間には、隙間があるので、収納物５０の挿入の際に、その隙間に収納物５０が落下するおそれがある。そこで、本実施例１では、胸ポケット２０と内部ポケット３１との間に、ブリッジ部材３３を設けて橋渡しを行うようにしているので、その隙間から収納物５０が落下することなく、スムーズに内部ポケット３１へ収納される。
【００３７】
内部ポケット３１に収納された収納物５０が比較的重い場合、内部ポケット３１が垂れ下がろうとする。しかし、内部ポケット３１は、支持部材３２及び貼着部３２ｃ，１３ａを介して肩ヨーク１３の内側に吊着されているので、その肩ヨーク１３にて収納物５０の重量が打ち消され、垂れ下がりが阻止されて、内部ポケット３１が所定位置に保持される。
【００３８】
この際、支持部材３２の他端３２ｂ側には、保持部材３４が取り付けられ、内部ポケット３１の開口幅が一定値に保持されているので、収納物５０の重量が内部ポケット幅の全体及び支持部材幅の全体に均一に掛かり、支持部材３２及び肩ヨーク１３部分にねじれ等が発生しない。又、内部ポケット３１は、胸ポケット２０に結合されていないので、内部ポケット３１内の収納物５０の重量が胸ポケット２０に掛からない。そのため、胸ポケット２０や、その周辺の左前身頃１１−２部分が垂れ下がることがない。
【００３９】
なお、肩ヨーク１３内に肩パッド４０を装着しておけば、その肩パッド４０の重量によって収納物５０の重量が打ち消されるので、支持部材３２の下方ずれをより的確に防止できる。これにより、内部ポケット部材３０の装着時における違和感が少なくなる。
【００４０】
収納物５０の収納時において、着用者が下を向いた場合、内部ポケット３１に収納された収納物５０が、その自重で、内部ポケット３１の上端開口部３１ａを介して左前身頃１１−２の内部開口部１８からずり落ちる。この際、図５の矢印で示すように、収納物５０がずり落ちると、係止部材２５において所定角度θだけ開いた係止部２５ｂにより、その収納物５０の落下が阻止される。そのため、収納物５０が内部ポケット３１から落下することがない。
【００４１】
又、収納物５０の収納時において、着用者がその収納物５０を内部ポケット３１から取り出す場合、指を内部開口部１８へ挿入するので、その指によって係止部材２５の係止部２５ｂが閉じる。そのため、指で収納物５０を摘んで内部ポケット３１からスムーズに取り出せる。
【００４２】
（実施例１の効果）
本実施例１によれば、次の（１）〜（３）のような効果がある。
【００４３】
（１）  内部ポケット付きワイシャツの着用時において、内部ポケット３１に収納された収納物５０の重量が、支持部材３２を介して肩ヨーク１３部分で支持され、その重量が胸ポケット２０に掛からない。そのため、収納物５０の重さにより、胸ポケット２０や、その周辺の左前身頃１１−２部分が垂れ下がることを防止できる。
【００４４】
（２）  内部ポケット付きワイシャツの着用時において、着用者が下を向いても、内部ポケット３１からずり落ちる収納物５０が、係止部材２５の係止部２５ｂにより係止されるので、収納物５０がその自重により内部ポケット３１から落下することを、簡単な構造で、的確に防止することができる。
【００４５】
（３）  胸ポケット２０と内部ポケット３１との間隙に、ブリッジ部材３３を設けて橋渡しを行うようにしているので、その間隙に収納物５０が落下することがなく、内部ポケット３１に対して収納物５０をスムーズに収納及び取り出しを行うことができる。
【００４６】
（変形例）
本発明は、上記実施例に限定されず、種々の利用形態や変形が可能である。この利用形態や変形例としては、例えば、次の（ａ）〜（ｃ）のようなものがある。
【００４７】
（ａ）  ワイシャツ１０に内部ポケット部材３０を装着しない場合、左前身頃１１−２に形成された内部開口部１８を、蓋用の生地を用いて面ファスナー等で封止する構成にしてもよい。このような構成において、ワイシャツ１０の着用者が下を向いた場合、胸ポケット２０に収納された収納物５０の落下を、係止部材２５により的確に防止することができる。
【００４８】
（ｂ）  内部ポケット３１を構成する延設部分３１ｂは、支持部材３２とは別の生地で形成してもよい。又、内部ポケット３１の開口幅を一定値に保持する保持部材３４を設けた場合、この保持部材３４と支持部材３２の一端３２ａとの間の保持部材部分は、内部ポケット３１の開口幅と異なる幅（例えば、小さい幅）にしてもよい。
【００４９】
（ｃ）  本考案の内部ポケット部材３０は、ワイシャツ１０以外の他の衣服にも適用が可能である。
【符号の説明】
【００５０】
１０      ワイシャツ
１１      前身頃
１２      後身頃
１３      肩ヨーク
１８      内部開口部
２０      胸ポケット
２２      上縁部
２５      係止部材
３０      内部ポケット部材
３１      内部ポケット
３１ａ      上端開口部
３２      支持部材
３３      ブリッジ部材
４０      肩パッド
【図１】
0003171934.tif 000003
【図２】
0003171934.tif 000004
【図３】
0003171934.tif 000005
【図４】
0003171934.tif 000006
【図５】
0003171934.tif 000007